(57)【要約】      （修正有）【課題】より簡易に現金の授受を実現する。【解決手段】現金の出金口と、現金を収納する現金収納部と、前記現金収納部に収納されている現金を前記出金口から出金するための出金処理を制御する制御部１５０と、操作者の識別情報が入力される入力部（カードリーダ部）１３１と、を備え、前記制御部は、前記入力部に入力された識別情報に関連付けて設定された出金金額に相当する現金の出金処理を制御する、現金処理装置。【選択図】図１
2019204325.tif 000002
【特許請求の範囲】
【請求項１】
現金の出金口と、
現金を収納する現金収納部と、
前記現金収納部に収納されている現金を前記出金口から出金するための出金処理を制御する制御部と、
操作者の識別情報が入力される入力部と、
を備え、
前記制御部は、前記入力部に入力された識別情報に関連付けて設定された出金金額に相当する現金の出金処理を制御する、現金処理装置。
【請求項２】
前記出金金額として前記操作者への給与金額が前記操作者の識別情報に関連付けて設定される、請求項１に記載の現金処理装置。
【請求項３】
前記操作者には、前記給与金額に相当する現金の出金処理を行う操作権限が与えられ、現金の入金処理を行う操作権限は与えられない、請求項２に記載の現金処理装置。
【請求項４】
前記制御部は、前記入力部に入力された識別情報に関連付けて設定された給与金額に相当する現金の出金処理が行われた後、当該識別情報を有する操作者が前記出金処理を行う操作権限を無効化する、請求項３に記載の現金処理装置。
【請求項５】
前記給与金額は、前記操作者が労働開始操作を行った開始時刻、前記操作者が労働終了操作を行った終了時刻、および前記操作者の時給に基づいて算出された金額である、請求項２〜４のいずれか一項に記載の現金処理装置。
【請求項６】
前記制御部は、所定の日時が過ぎた後に前記入力部に前記操作者の識別情報が入力された場合に、前記操作者の識別情報に関連付けて設定された出金金額に相当する現金の出金処理を制御する、請求項１〜５のいずれか一項に記載の現金処理装置。
【請求項７】
前記現金処理装置は、情報処理装置から識別情報および出金金額を示す情報を受信する通信部を備える、請求項１〜６のいずれか一項に記載の現金処理装置。
【請求項８】
前記通信部は、前記入力部に入力された識別情報を情報処理装置に送信し、前記情報処理装置から前記入力部に入力された識別情報に関連付けられた出金金額を示す情報を受信する、請求項７に記載の現金処理装置。
【請求項９】
前記入力部には、暗証番号も入力され、
前記制御部は、前記入力部に入力された識別情報と暗証番号の関係が正しいことに基づき、前記現金の出金処理を制御する、請求項１〜８のいずれか一項に記載の現金処理装置。
【発明の詳細な説明】
【技術分野】
【０００１】
本発明は、現金処理装置に関する。
【背景技術】
【０００２】
日雇い労働者および学生アルバイトなどの短期労働者には、雇用者が現金の手渡しで給与を支払うことが多い。短期労働者の雇用先としては、小売店およびスーパーマーケットなどの商業施設が挙げられる。商業施設には、売上金を入金し、釣銭準備金を出金する現金処理装置が設置されている商業施設もある。また、他の種の現金処理装置として、金融機関およびコンビニエンスストアなどに設置されているＡＴＭ（自動取引装置）も知られている。現金処理装置に関し、特許文献１には、ＩＤカードに基づいて現金処理装置の操作権限を管理する技術が開示されている。
【先行技術文献】
【特許文献】
【０００３】
【特許文献１】特開２００１−２４３５１７号公報
【発明の概要】
【発明が解決しようとする課題】
【０００４】
上述した短期労働者への給与の支払いには、幾つかの課題があった。例えば、売上を管理する現金処理装置から給与を払い出す場合には、雇用者は給与金額に相当する現金を売上外で出金して短期労働者に支払っていた。また、短期労働者の労働終了時に雇用者が不在であると、短期労働者が給与を受け取れなかった。
【０００５】
そこで、本発明は、上記問題に鑑みてなされたものであり、本発明の目的とするところは、より簡易に現金の授受を実現することが可能な、新規かつ改良された現金処理装置を提供することにある。
【課題を解決するための手段】
【０００６】
上記課題を解決するために、本発明のある観点によれば、現金の出金口と、現金を収納する現金収納部と、前記現金収納部に収納されている現金を前記出金口から出金するための出金処理を制御する制御部と、操作者の識別情報が入力される入力部と、を備え、前記制御部は、前記入力部に入力された識別情報に関連付けて設定された出金金額に相当する現金の出金処理を制御する、現金処理装置が提供される。
【０００７】
前記出金金額として前記操作者への給与金額が前記操作者の識別情報に関連付けて設定されてもよい。
【０００８】
前記操作者には、前記給与金額に相当する現金の出金処理を行う操作権限が与えられ、現金の入金処理を行う操作権限は与えられなくてもよい。
【０００９】
前記制御部は、前記入力部に入力された識別情報に関連付けて設定された給与金額に相当する現金の出金処理が行われた後、当該識別情報を有する操作者の前記出金処理を行う操作権限を無効化してもよい。
【００１０】
前記給与金額は、前記操作者が労働開始操作を行った開始時刻、前記操作者が労働終了操作を行った終了時刻、および前記操作者の時給に基づいて算出された金額であってもよい。
【００１１】
前記制御部は、所定の日時が過ぎた後に前記入力部に前記操作者の識別情報が入力された場合に、前記操作者の識別情報に関連付けて設定された出金金額に相当する現金の出金処理を制御してもよい。
【００１２】
前記現金処理装置は、情報処理装置から識別情報および出金金額を示す情報を受信する通信部を備えてもよい。
【００１３】
前記通信部は、前記入力部に入力された識別情報を情報処理装置に送信し、前記情報処理装置から前記入力部に入力された識別情報に関連付けられた出金金額を示す情報を受信してもよい。
【００１４】
前記入力部には、暗証番号も入力され、前記制御部は、前記入力部に入力された識別情報と暗証番号の関係が正しいことに基づき、前記現金の出金処理を制御してもよい。
【発明の効果】
【００１５】
以上説明した本発明によれば、より簡易に現金の授受を実現することが可能である。
【図面の簡単な説明】
【００１６】
【図１】本発明の実施形態による現金処理装置の構成を示す説明図である。
【図２】操作表示部に表示される管理者メニューの具体例を示す説明図である。
【図３】労働者の情報の具体例を示す説明図である。
【図４】入金禁止担当者メニューの具体例を示す説明図である。
【図５】第１の動作例を示すフローチャートである。
【図６】第２の動作例に関連するシステム構成を示す説明図である。
【図７】第３の動作例に関連するシステム構成を示す説明図である。
【図８】管理端末が記憶する情報の具体例を示す説明図である。
【図９】第３の動作例を示すフローチャートである。
【発明を実施するための形態】
【００１７】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１８】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、複数の構成要素の各々に同一符号のみを付する。
【００１９】
＜０．現金処理装置の概要＞
本発明の実施形態は、小売店やスーパーマーケットなどの商業施設に設置される現金処理装置に適用される。本実施形態による現金処理装置は、例えば、レジで用いられる釣銭準備金として紙幣および硬貨を出金する釣銭出金、およびレジから回収された紙幣および硬貨を入金する売上入金などの処理を実行可能である。以下、このような本発明の実施形態による現金処理装置の構成を説明する。
【００２０】
図１は、本発明の実施形態による現金処理装置１の構成を示す説明図である。図１に示したように、本実施形態による現金処理装置１は、紙幣投入口１０１と、紙幣一時保留部１０３と、紙幣鑑別部１０５と、万券カセット１０７と、五千券カセット１０９と、千券カセット１１１と、回収カセット１１３と、リジェクト部１１５と、硬貨投入口１１７と、硬貨鑑別部１１９と、硬貨一時保留部１２１と、硬貨返却箱１２３と、出金ホッパ１２５と、硬貨回収庫１２７と、硬貨出金箱１２９と、カードリーダ部１３１と、操作表示部１３３と、制御部１５０と、記憶部１６０と、を備える。
【００２１】
紙幣投入口１０１は、現金処理装置１に入金される紙幣が投入される投入口である。また、紙幣投入口１０１は、紙幣の出金口でもあり、紙幣投入口１０１から売上入金の取り消しにより返却される紙幣、出金される紙幣、および紙幣鑑別部１０５により正常ではないとしてリジェクトされた紙幣が紙幣投入口１０１から出金される。
【００２２】
紙幣一時保留部１０３には、入金計数時および売上金作成時に、一時的に紙幣が集積される。また、紙幣鑑別部１０５は、投入された紙幣が正常な紙幣であるか否かを各種センサによって鑑別する。
【００２３】
万券カセット１０７、五千券カセット１０９、および千券カセット１１１は、それぞれ万券、五千券、および千券の紙幣を収納する現金収納部である。具体的には、万券カセット１０７、五千券カセット１０９、および千券カセット１１１（各紙幣カセット）には、バラ状態の各種紙幣が釣銭準備金として収納される。また、各紙幣カセットには、売上として入金され、紙幣鑑別部１０５で正常と鑑別された各種紙幣が収納される。さらに、釣銭出金時には、各紙幣カセットから各種紙幣が出金される。
【００２４】
回収カセット１１３は、売上回収のためのカセットである。具体的には、回収カセット１１３には、精算集計時に、各紙幣カセットから移動された紙幣が売上金として収納される。
【００２５】
リジェクト部１１５には、紙幣鑑別部１０５によって正常な紙幣ではないと鑑別された紙幣、すなわちリジェクトされた紙幣が集積される。具体的には、リジェクト部１１５には、売上入金時に紙幣一時保留部１０３から各紙幣カセットに紙幣を搬送する過程で紙幣鑑別部１０５によってリジェクトされた紙幣、各紙幣カセットから釣銭出金を行う過程で紙幣鑑別部１０５によってリジェクトされた紙幣、精算集計時に各紙幣カセットから回収カセット１１３に紙幣を搬送する過程で紙幣鑑別部１０５によってリジェクトされた紙幣などが集積される。
【００２６】
硬貨投入口１１７は、硬貨が投入される開口である。また、硬貨鑑別部１１９は、投入された硬貨が正常な硬貨であるか否かを各種センサによって鑑別する。さらに、硬貨一時保留部１２１には、入金計数時および精算集計時に、一時的に硬貨が集積される。
【００２７】
硬貨返却箱１２３は、硬貨の返却口であり、計数が行われた硬貨、売上入金の取り消しがなされた硬貨が硬貨返却箱１２３から返却される。また、出金ホッパ１２５（現金収納部）には、売上入金によって投入された各種硬貨が収納されており、釣銭出金時には出金ホッパ１２５から各種硬貨が出金される。
【００２８】
硬貨回収庫１２７は、売上回収のためのカセットである。具体的には、硬貨回収庫１２７には、精算集計時に出金ホッパ１２５から移動された硬貨が売上金として収納される。また、硬貨出金箱１２９は、釣銭出金時に硬貨を出金するための硬貨出金口である。
【００２９】
カードリーダ部１３１は、入力部の一例であり、操作者が有するカードに書き込まれた情報を読み取る。操作者が有するカードに書き込まれる情報として、例えば、カードを利用する操作者を識別するための情報（例えば、ＩＤ番号）、および操作者の種別を示す情報が挙げられる。
【００３０】
操作表示部１３３は、操作者による操作を検出する操作部または入力部としての機能、および各種画面を表示する表示部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は例えばタッチパネルにより実現される。なお、表示部および操作部の機能は分離して構成されてもよい。
【００３１】
制御部１５０は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶するＲＯＭ（Ｒｅａｄ  Ｏｎｌｙ  Ｍｅｍｏｒｙ）、ＣＰＵの実行において使用するプログラムや、その実行において適宜変化するパラメータ等を一時記憶するＲＡＭ（Ｒａｎｄｏｍ  Ａｃｃｅｓｓ  Ｍｅｍｏｒｙ）、データ等を記憶するＨＤＤ（Ｈａｒｄ  Ｄｉｓｋ  Ｄｒｉｖｅ）装置などのデータ格納用記憶装置等で構成される。
【００３２】
この制御部１５０は、現金処理装置１の動作全般を制御する。例えば、制御部１５０は、各紙幣カセットおよび出金ホッパ１２５に収納されている現金の枚数を記憶部１６０に記憶させる管理部としての機能を包含する。また、制御部１５０は、操作者が有するカード、および暗証番号などを用いた認証が終了すると、操作者が所望の処理を選択するためのメニューを操作表示部１３３に表示させ、メニューにおいて操作者により選択された処理を制御する。
【００３３】
上述したように、現金処理装置１は、例えば売上管理や釣銭準備のために用いられる。さらに、本発明の実施形態による現金処理装置１は、労働者への給与の支払いにも活用可能である。以下、このような本発明の実施形態による現金処理装置１の幾つかの動作例を順次詳細に説明する。
【００３４】
＜１．第１の動作例＞
現金処理装置１の操作者の種類には、例えば、担当者、管理者および警送会社管理者がある。担当者は、主に店舗のレジ担当者であり、現金処理装置１から出金および入金を行うことが可能である。管理者は、主に店舗事務員または店長等の現金管理者であり、現金処理装置１への現金の補充、精算集計、設定および回収などを行うことが可能である。警送会社管理者は、警送会社で精算集計から、回収および補充までを委託された者であり、補充および精算作業を行うことが可能である。さらに、現金処理装置１の操作者の種類には、入金禁止担当者が含まれる。入金禁止担当者は、現金処理装置１の出金処理（特殊）と暗証番号の変更を行う操作権限を有するが、現金処理装置１への入金処理およびその他の処理を行う操作権限を有さない者である。本動作例では、現金処理装置１の管理者が、各労働者（特に、短期労働者）を入金禁止担当者として登録し、現金処理装置１に各労働者の給与金額を設定する。そして、各労働者は、現金処理装置１を操作することにより、現金処理装置１から給与金額に相当する現金を得る。以下、このような第１の動作例についてより具体的に説明する。出金処理（特殊）とは、各労働者に設定された給与金額に相当する現金のみを出金する取引であり、労働者が操作表示部１３３から出金金額を指定することにより現金を出金することはできない。
【００３５】
（管理者メニュー）
図２は、操作表示部１３３に表示される管理者メニューの具体例を示す説明図である。当該管理者メニューは、例えば、管理者カードがカードリーダ部１３１にかざされ、操作表示部１３３に入力されたＩＤ番号および暗証番号の認証が成功した場合に、操作表示部１３３に表示され得る。
【００３６】
図２に示したように、管理者メニューは、「０１：出金」ボタン、「０２：入金」ボタン、「０３：補充」ボタン、「０４：回収」ボタン、「０５：締め」ボタン、「０６：照会」ボタン、「０７：設定ボタン」、および「０８：暗証変更」ボタンなど、現金処理装置１が実行可能な処理と関連付けられた選択ボタンを含む。管理者は、当該管理者メニューからの選択ボタンの選択により、所望の処理を現金処理装置１に実行させることが可能である。
【００３７】
特に、本動作例においては、管理者が「０７：設定ボタン」を選択すると、操作表示部１３３は各労働者の情報を設定するための設定画面を表示する。管理者は、当該設定画面において、操作表示部１３３を操作することにより、各労働者の情報を設定する。設定された労働者の情報は記憶部１６０に記憶される。図３を参照し、管理者により設定される労働者の情報の具体例を説明する。
【００３８】
（労働者の設定情報）
図３は、労働者の情報の具体例を示す説明図である。図３に示したように、労働者の情報は、氏名、ＩＤ番号、暗証番号、給与金額および支払可能時刻を含む。管理者は、各労働者から事前に預かった履歴書などに基づいて各労働者の識別情報としてＩＤ番号および暗証番号を決定し、当該決定したＩＤ番号および暗証番号を設定する。給与金額は、労働者が行う労働の対価であり、管理者は、労働者の労働が終了する前に当該給与金額をＩＤ番号に関連付けて設定する。支払可能時刻は、現金処理装置１が労働者に設定された給与金額に相当する現金の出金が可能となる時刻である。例えば、支払可能時刻に所定の日時として労働終了予定時刻が設定されることにより、労働終了予定時刻が経過する前に労働者が給与を得てしまうことを防止できる。
【００３９】
また、氏名およびＩＤ番号などには、図３に示したように、支払状況がさらに関連付けられる。支払状況は、労働者への給与の支払いが行われたか否かを示す。労働者への給与の支払い、すなわち現金の出金が行われた後、支払状況が「未」から「済」に更新される。支払状況が「済」である場合、当該支払状況に関連付けられている労働者が出金処理を行う操作権限が無効とされる。かかる構成により、同一の労働者に二重で給与が支払われていますことを防止可能である。
【００４０】
図３に示した例では、労働者「沖太郎」に、ＩＤ番号「１２３４５６７８」、暗証番号「１２３４５６」、給与金額「８，０００円」、支払可能時期「２０１８／４／２０  １７：００」、支払状況「済」が関連付けられている。これら情報は、労働者「沖太郎」に、支払可能時期「２０１８／４／２０  １７：００」が経過した後に、「８，０００円」の現金を支払済みであることを示す。
【００４１】
（入金禁止担当者メニュー）
続いて、労働者である入金禁止担当者に表示される入金禁止担当者メニューの具体例を説明する。
【００４２】
図４は、入金禁止担当者メニューの具体例を示す説明図である。図４に示したように、入金禁止担当者メニューは、「出金」ボタンおよび「暗証変更」ボタンを含む。当該入金禁止担当者メニューは、入金禁止担当者カードがカードリーダ部１３１にかざされ、操作表示部１３３に入力されたＩＤ番号および暗証番号の認証が成功した場合に、操作表示部１３３に表示され得る。例えば、入金禁止担当者カードは、管理者から労働者へ貸与される。
【００４３】
「暗証変更」ボタンは、暗証番号変更画面に遷移するためのボタンである。労働者は、暗証番号変更画面において自ら暗証番号を変更することがセキュリティの観点から望ましい。
【００４４】
「出金」ボタンは、労働者に設定された給与金額に相当する現金を労働者が受け取るためのボタンである。「出金」ボタンが選択されると、現金処理装置１の制御部１５０は、労働者に設定された給与金額に相当する現金の出金処理を制御する。これにより、硬貨出金箱１２９および紙幣投入口１０１から現金が出金され、労働者が現金を受け取ることができる。
【００４５】
（動作の整理）
上述した第１の動作例を、図５を参照して以下に整理する。
【００４６】
図５は、第１の動作例を示すフローチャートである。まず、カードリーダ部１３１が、カードリーダ部１３１にかざされたカードから情報を読み取る（Ｓ２０４）。制御部１５０は、カードから読取られた情報に基づき、操作者が入金禁止担当者であるか否かを判断する（Ｓ２０８）。ここで、操作者が入金禁止担当者でない場合（Ｓ２０８／Ｎｏ）、制御部１５０は操作者の種類に応じた規定の処理を実行する（Ｓ２１２）。
【００４７】
一方、操作者が入金禁止担当者である場合（Ｓ２０８／Ｙｅｓ）、操作表示部１３３に操作者がＩＤ番号および暗証番号を入力し（Ｓ２１６）、制御部１５０が記憶部１６０に記憶されている情報（図３を参照して説明した労働者の情報）に基づき、操作者を認証する（Ｓ２２０）。
【００４８】
操作者の認証が成功した場合（Ｓ２２０／Ｙｅｓ）、操作表示部１３３は入金禁止担当者メニューを表示する（Ｓ２２４）。入金禁止担当者メニューにおいて「暗証変更」ボタンが選択されると（Ｓ２２８／暗証変更）、操作表示部１３３が暗証番号変更画面を表示し（Ｓ２３２）、制御部１５０が操作者の入力に基づき操作者の暗証番号を変更する（Ｓ２３６）。
【００４９】
一方、入金禁止担当者メニューにおいて「出金」ボタンが選択されると（Ｓ２２８／出金）、制御部１５０は、操作者に関連付けられている支払状況および支払可能時刻を確認する（Ｓ２４０、Ｓ２４４）。そして、操作者に関連付けられている支払状況が「未」であり（Ｓ２４０／Ｙｅｓ）、操作者に関連付けられている支払可能時刻が過ぎている場合（Ｓ２４４／Ｙｅｓ）、制御部１５０は、操作者に関連付けられている給与金額に相当する現金の出金処理を制御する（Ｓ２４８）。そして、制御部１５０は、出金処理の終了後、操作者に関連付けられている支払状況を「済」に更新する（Ｓ２５２）。
【００５０】
（作用効果）
以上説明した第１の動作例によれば、多様な作用効果が得られる。例えば、第１の動作例によれば、労働者が現金処理装置１の操作者となることで、労働者が現金処理装置１から給与を受け取れるので、雇用者が各労働者へ手渡しする給与を個別に用意しなくてもよい。また、労働者の観点からは、労働終了後に雇用者が不在であっても給与を受け取ることができる。すなわち、雇用者および労働者のいずれの観点からも、より簡易に給与の授受を実現することが可能である。
【００５１】
＜２．第２の動作例＞
第２の動作例では、図６に示すように、現金処理装置１と管理端末３０が接続され、現金処理装置１の通信部１７０と管理端末３０との間で多様な情報が通信される。図６においては、現金処理装置１と管理端末３０がＬＡＮ（Ｌｏｃａｌ  Ａｒｅａ  Ｎｅｔｗｏｒｋ）のような有線で接続される例を示しているが、現金処理装置１と管理端末３０とは無線で接続されてもよい。
【００５２】
管理端末３０は、管理者により利用される情報処理装置である。第１の動作例においては、管理者が現金処理装置１の操作表示部１３３を操作することにより、労働者の情報が現金処理装置１に記憶された。一方、第２の動作例では、管理者は管理端末３０への操作により管理端末３０に労働者の情報を入力し、管理端末３０が現金処理装置１に労働者の情報を送信し、現金処理装置１の記憶部１６０が管理端末３０から受信された労働者の情報を記憶する。
【００５３】
このような第２の動作例によれば、管理端末３０の操作性が現金処理装置１の操作性より優れる場合に、管理者が労働者の情報をより容易に入力することが可能となる。また、第２の動作例によれば、管理者が現金処理装置１の設置場所に赴かずに労働者の情報を現金処理装置１に設定できる利点も得られる。
【００５４】
＜３．第３の動作例＞
第３の動作例では、図７に示すように、現金処理装置１と管理端末３０が接続され、管理端末３０と出退勤端末４０が接続される。図７においては、管理端末３０と出退勤端末４０がＬＡＮのような有線で接続される例を示しているが、管理端末３０と出退勤端末４０は無線で接続されてもよい。
【００５５】
（出退勤端末）
出退勤端末４０は、労働開始操作および労働終了操作が行われる端末である。労働開始操作は、労働者が有するカードを出退勤端末４０にかざすこと、操作者のＩＤ番号およびパスワードを出退勤端末４０に入力すること、出退勤端末４０に表示されている所定のボタン（例えば、開始ボタン）を選択すること、の少なくともいずれかを含んでもよい。同様に、労働終了操作は、労働者が有するカードを出退勤端末４０にかざすこと、操作者のＩＤ番号およびパスワードを出退勤端末４０に入力すること、出退勤端末４０に表示されている所定のボタン（例えば、終了ボタン）を選択すること、の少なくともいずれかを含んでもよい。
【００５６】
出退勤端末４０は、労働開始操作が行われると、労働者のＩＤ番号を含む開始通知を管理端末３０に送信する。同様に、出退勤端末４０は、労働終了操作が行われると、労働者のＩＤ番号を含む終了通知を管理端末３０に送信する。
【００５７】
（管理端末）
管理端末３０は、管理者により入力された労働者の情報、および、労働の開始時刻および終了時刻を記憶し、かつ、労働者の労働時間および時給に基づき給与金額を設定する。以下、図８を参照し、管理端末３０が記憶する情報の具体例を説明する。
【００５８】
図８は、管理端末３０が記憶する情報の具体例を示す説明図である。図８に示したように、管理端末３０は、労働者の氏名、ＩＤ番号、暗証番号および時給を関連付けて記憶する。そして、管理端末３０は、出退勤端末４０からの開始通知に基づいて、開始通知に含まれるＩＤ番号に労働の開始時刻を関連付け、出退勤端末４０からの終了通知に基づいて、終了通知に含まれるＩＤ番号に労働の終了時刻を関連付ける。
【００５９】
管理端末３０は、ＩＤ番号を含む終了通知を出退勤端末４０から受信したことに基づき、またはＩＤ番号を含む要求を現金処理装置１から受信したことに基づき、当該ＩＤ番号に対応する労働者の給与金額を、開始時刻、終了時刻、および時給を用いて算出し、当該ＩＤ番号に関連付けて記憶する。現金処理装置１は、ＩＤ番号を含む要求を管理端末３０に送信し、当該ＩＤ番号に関連付けられた給与金額を示す情報を管理端末３０から受信し、当該給与金額に相当する現金を出金する。
【００６０】
（動作の整理）
上述した第３の動作例を、図９を参照して以下に整理する。
【００６１】
図９は、第３の動作例を示すフローチャートである。図９に示したように、まず、管理者が、各労働者のＩＤ番号およびパスワードなどの情報を設定する（Ｓ３０４）。その後、労働者が出退勤端末４０に労働開始操作を行うと（Ｓ３０８）、出退勤端末４０が当該労働者のＩＤ番号を含む開始通知を管理端末３０に送信する（Ｓ３１２）。そして、管理端末３０は、記憶部１６０において、開始通知に含まれるＩＤ番号に労働の開始時刻を関連付ける（Ｓ３１６）。
【００６２】
その後、労働者が出退勤端末４０に労働終了操作を行うと（Ｓ３２０）、出退勤端末４０が当該労働者のＩＤ番号を含む終了通知を管理端末３０に送信する（Ｓ３２４）。そして、管理端末３０は、記憶部１６０において、終了通知に含まれるＩＤ番号に労働の終了時刻を関連付ける（Ｓ３２８）。
【００６３】
そして、管理端末３０は、労働者のＩＤ番号に関連付けられた開始時刻、終了時刻、および時給を用いて給与金額を算出し、給与金額を当該ＩＤ番号に関連付けて設定する（Ｓ３３２）。
【００６４】
その後、現金処理装置１を労働者が操作し、図４を参照して説明した入金禁止担当者メニューにおいて「出金」ボタンが選択されると、現金処理装置１は当該労働者のＩＤ番号を含む要求を管理端末３０に送信する（Ｓ３３６）。管理端末３０は、当該要求に含まれるＩＤ番号に関連付けて設定されている給与金額を特定し、特定した給与金額を示す情報を現金処理装置１に送信する（Ｓ３４０）。現金処理装置１は、当該給与金額に相当する現金を出金する（Ｓ３４４）。なお、第１の動作例と同様に、管理端末３０は労働者への出金が終了すると、当該労働者のＩＤ番号に関連付けられた支払状況を「済」に更新する。これにより、同一の労働者へ給与が二重に支払われてしまうことを防止できる。また、給与金額の設定は、Ｓ３３６において現金処理装置１から労働者のＩＤ番号を含む要求が受信された後に行われてもよい。
【００６５】
（作用効果）
以上説明した第３の動作例によれば、多様な作用効果が得られる。例えば、労働者の労働時間が未定である場合にも、管理端末３０が実際の労働時間から給与金額を自動的に算出し、現金処理装置１が労働者に適切な金額の給与を支払うことが可能となる。
【００６６】
なお、第１の動作例と同様に、管理端末３０は労働者への出金が終了すると、当該労働者のＩＤ番号に関連付けられた支払状況を「済」に更新する。これにより、同一の労働者へ給与が二重に支払われてしまうことを防止できる。
【００６７】
＜４．補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６８】
例えば、第1の動作例においては入金禁止担当者カードに、出金処理（特殊）と暗証番号の変更の操作権限が設定されていたが、操作権限の設定は入金禁止担当者カードに限定されず、労働者のＩＤ番号に関連付けて設定されてもよい。この場合、管理者が設定する労働者の情報(図３)として操作権限を追加し、管理者は操作権限として出金処理（特殊）と暗証番号の変更を設定する。動作としては、管理者から労働者へ貸与されたカードをカードリーダ部１３１にかざすことで操作表示部１３３への入力を許可し、操作表示部１３３へ入力されたＩＤ番号に関連付けられた操作権限に基づき入金禁止担当者メニューを表示する。
【００６９】
また、第３の動作例においては現金処理装置１および管理端末３０とは別に出退勤端末４０が設けられる構成を説明したが、上述した出退勤端末４０の機能は、現金処理装置１または管理端末３０に実装されてもよい。
【００７０】
また、第３の動作例においては、管理端末３０が労働者の情報を記憶し、給与金額を算出する例を説明したが、現金処理装置１が労働者の情報、開始通知および終了通知を受信し、現金処理装置１が給与金額を算出してもよい。
【００７１】
また、上記では、売上管理および釣銭準備のための現金処理装置に本発明の実施形態が適用される例を説明したが、本発明の実施形態はＡＴＭなどの他の種の現金処理装置にも同様に適用可能である。
【００７２】
また、本明細書の現金処理装置１、管理端末３０および出退勤端末４０の処理における各ステップは、必ずしもシーケンス図またはフローチャートとして記載された順序に沿って時系列に処理する必要はない。例えば、現金処理装置１、管理端末３０および出退勤端末４０の処理における各ステップは、フローチャートとして記載した順序と異なる順序で処理されても、並列的に処理されてもよい。
【００７３】
また、現金処理装置１、管理端末３０および出退勤端末４０に内蔵されるＣＰＵ、ＲＯＭおよびＲＡＭなどのハードウェアに、上述した現金処理装置１、管理端末３０および出退勤端末４０の各構成と同等の機能を発揮させるためのコンピュータプログラムも作成可能である。また、該コンピュータプログラムを記憶させた記憶媒体も提供される。
【符号の説明】
【００７４】
１  現金処理装置
３０  管理端末
４０  出退勤端末
１０１  紙幣投入口
１０３  紙幣一時保留部
１０５  紙幣鑑別部
１０７  万券カセット
１０９  五千券カセット
１１１  千券カセット
１１３  回収カセット
１１５  リジェクト部
１１７  硬貨投入口
１１９  硬貨鑑別部
１２１  硬貨一時保留部
１２３  硬貨返却箱
１２５  出金ホッパ
１２７  硬貨回収庫
１２９  硬貨出金箱
１３１  カードリーダ部
１３３  操作表示部
１５０  制御部
１６０  記憶部
１７０  通信部
【図１】
2019204325.tif 000003
【図２】
2019204325.tif 000004
【図３】
2019204325.tif 000005
【図４】
2019204325.tif 000006
【図５】
2019204325.tif 000007
【図６】
2019204325.tif 000008
【図７】
2019204325.tif 000009
【図８】
2019204325.tif 000010
【図９】
2019204325.tif 000011